(57)【要約】      （修正有）【課題】簡単に着用することができ、かつ袴を着用したときの姿を美しく見せることができる袴を提供する。【解決手段】前身頃１と、後ろ身頃２と、これら前身頃及び後ろ身頃を着付けるための紐３とを備える袴１００であって、前記前身頃の上部に取り付けられて、該前身頃を体に付ける伸縮可能な環状部材４をさらに備え、前記環状部材が前記後ろ身頃とは分離して設けられている。【選択図】図２
0003223776.tif 000002
【実用新案登録請求の範囲】
【請求項１】
前身頃と、
後ろ身頃と、
これら前身頃及び後ろ身頃を着付けるための紐とを備える袴であって、
前記前身頃の上部に取り付けられて、該前身頃を体に付ける伸縮可能な環状部材をさらに備え、
前記環状部材が前記後ろ身頃とは分離して設けられていることを特徴とする袴。
【請求項２】
前記後ろ身頃に形成され、前記紐を通すことによって前記後ろ身頃を体に付ける孔をさらに備える請求項１記載の袴。
【請求項３】
前記環状部材が、前記紐よりも幅の狭い帯状のものであることを特徴とする請求項１記載の袴。
【請求項４】
前記孔が、前記後ろ身頃の上部に形成されていることを特徴とする請求項２記載の袴。
【請求項５】
前記後ろ身頃が、後ろ身頃本体と該後ろ身頃の上部に取り付けられた後ろベルトとを具備し、
前記孔が、該後ろベルトの内部に取り付けられた孔形成布との間に形成されるものであることを特徴とする請求項２記載の袴。
【請求項６】
前記後ろ身頃の内側に設けられ、帯の結び目を模した膨らみを形成する模擬帯部をさらに備えることを特徴とする請求項１乃至５のいずれか一項に記載の袴。
【請求項７】
前記模擬帯部が、帯の結び目を模した膨らみを形成する模擬帯体と、該模擬帯体を内部に収容し、前記後ろ身頃に取り付ける取付部材とを具備することを特徴とする請求項６記載の袴。
【考案の詳細な説明】
【技術分野】
【０００１】
本考案は、簡単に着用することができる袴に関するものである。
【背景技術】
【０００２】
従来、例えば、特許文献１に示すように、袴の前身頃上部と後ろ身頃上部との間に架け渡されて、前身頃上部と後ろ身頃上部とを互いに固定し、かつ袴を体に付ける弾性帯を設けて着用を簡単にした袴が開示されている。
【０００３】
しかしながら、このような従来の袴では、着用は簡単になるものの、紐を前後に回して結んだ袴本来の美しい着姿が損なわれてしまうという問題がある。
【先行技術文献】
【特許文献】
【０００４】
【特許文献１】特開２０１７−００８４７７号公報
【考案の概要】
【考案が解決しようとする課題】
【０００５】
本考案は、前述したような問題に鑑みてなされたものであり、簡単に着用することができ、かつ袴を着用したときの姿を美しく見せることができる袴を提供することを主な目的とする。
【課題を解決するための手段】
【０００６】
すなわち、本考案に係る袴は、前身頃と、後ろ身頃と、これら前身頃及び後ろ身頃を体に着付ける紐を備えた袴であって、前記前身頃を体に付ける伸縮可能な環状部材を備え、該環状部材が前記後ろ身頃とは分離して設けられていることを特徴とするものである。
【０００７】
このように構成した袴によれば、前記環状部材に体を入れることによって、紐を結ばなくても前身頃を体の適切な位置に固定することができる。
また、前記環状部材が後ろ身頃から分離しているので、後ろ身頃を従来通りに紐で体に着付けることができる。
その結果、袴の着用に慣れていない人であっても、簡単に袴を着用することができ、かつ紐を体の前後に往復させて結ぶ袴本来の美しい着姿を楽しむことができる。
【０００８】
前記後ろ身頃に形成され、前記紐を通すことによって前記後ろ身頃を体に付ける孔をさらに備える袴とすれば、着用時に前記紐を該孔に通した状態で、袴を履き込み、前記前身頃を前記環状部材によって体に固定した後に、前記紐を引き締めるだけで袴を着用することができる。
そのため、紐を体の前後に往復させる袴本来の美しい着姿を保ちながらも、後ろ身頃を体に着付けるための紐を別途結ぶ手間を省くことができる。
【０００９】
前記環状部材が、前記紐の幅よりも幅の狭い帯状のものであれば、前記環状部材を前記紐で隠して外部から見えにくくすることができる。
【００１０】
前記孔が、前記後ろ身頃の上部に取り付けられた後ろベルトと、該後ろベルトの内部に取り付けられた孔形成布との間に形成されるものであれば、袴を着用した時に前記孔が外部からは見えないので、袴の着姿をより美しく見せることができる。
【００１１】
前記後ろ身頃の内側に設けられ、帯の結び目を模した模擬帯部をさらに備えるものとすれば、袴を履く前に角帯や袴下帯を結ぶ手間を省き、かつ袴の下にきちんと帯を結んでいるように見せることができる。
【００１２】
具体的な実施態様としては、前記模擬帯部が、帯を結んだような膨らみを形成する模擬帯体と、該模擬帯体を袴に取り付ける取付部材とを具備するものを挙げることができる。
【考案の効果】
【００１３】
本考案に係る袴によれば、簡単に着用することができ、かつ袴を着用したときの姿を美しく見せることができる。
特に、長時間じっとできず、動きが多い子供等に袴を着せる場合には、紐を結ぶまでの間に袴の位置がずれてしまうことが考えられるので、本考案の効果がより顕著に発揮される。
【図面の簡単な説明】
【００１４】
【図１】本考案の一実施形態に係る袴の全体を示す模式図。
【図２】本実施形態に係る袴を履き込み方向から見た摸式図。
【図３】本実施形態に係る袴の帯状体を示す摸式図。
【図４】本実施形態に係る袴の後ろ身頃上部を示す摸式図。
【図５】本実施形態に係る袴の模擬帯部を示す模式図。
【図６】本実施形態に係る袴を着用した時の姿を現す模式図。
【考案を実施するための形態】
【００１５】
以下に、本考案の一実施形態に係る袴１００について各図を参照しながら説明する。
本実施形態に係る袴１００は、例えば、図１に示すように、前身頃１と、後ろ身頃２と、前記前身頃１と前記後ろ身頃２を体に着付ける紐と、前記前身頃１を体に付ける環状部材と、前記紐を内部に通すことによって前記後ろ身頃２を体に付ける孔とを備えるものである。
【００１６】
前記前身頃１と前記後ろ身頃２とは、図２に示すように、前記前身頃１の側面と前記後ろ身頃２の側面とが互いに縫い合わされることによって上端と下端が解放された筒状になるようにしてある。
前記後ろ身頃２は、後ろ身頃本体２１と、該後ろ身頃本体２１の上部に取り付けられた後ろベルト２２とを具備するものである。該後ろベルト２２は、例えば、前記後ろ身頃本体２１と同じ布で形成された帯状の部材であって、前記後ろ身頃本体２１の上部に縫い付けられている。
【００１７】
前記紐３は、この実施形態では、前記前身頃１上部の左右の両端に各一本ずつ計二本取り付けられている。該紐３の幅は、例えば、５ｃｍ程度であり、一本の長さが２ｍ程度になるようにしてある。該紐３の前記前身頃１に取り付けられている端部とは反対側の端部は固定されておらず、これら２本の紐を体に巻き回した後、これら紐３の固定されていない端部を互いに結ぶことで袴１００を体に着付けることができる。
【００１８】
前記環状部材４は、例えば、前記前身頃１の上部に取り付けられた前ベルト４１と、該前ベルト４１の両端部に、その両端部が取り付けられた伸縮可能な帯状体４２とを備えるものである。
前記前ベルト４１は、前記前身頃１と同じ布で形成された帯状の部材であって、前記前身頃１の上部に縫い付けられている。
前記帯状体４２は、例えば、幅が３．５ｃｍ程度の伸縮性を有する平ゴム等を該平ゴムよりも長さの長い布で包んで伸縮性を持たせた帯状のものである。本実施形態においては、該帯状体４２の両端が、前記前ベルト４１の左右両端にそれぞれ固定されており、図２に示すように、前記前ベルト４１とともに着用者の体を入れるための伸縮可能な輪を形成するようにしてある。
前記帯状体４２は、図３に示すように、前記紐３とほぼ同じ高さで、かつ前記紐３よりも前記後ろ身頃２側になるように取り付けられている。
前記帯状体４２の伸超前の長さは、着用者の年齢や性別に合わせて、前記前ベルト４１と合わせた全体の長さが着用者の平均的なウエストサイズよりも少し短くなるようにしてある。
【００１９】
前記孔５は、前記紐３をその内部に通すものであり、後ろ身頃２の上部に形成されている。前記５孔は、例えば、前記後ろ身頃本体２１の上部に取付られた前記後ろベルト２２の内側に、該後ろベルト２２と平行になるように孔形成布５１を縫い付けることによって、前記後ろベルト２２と前記孔形成布５１との間に形成されるものである。該孔形成布５１の縦方向の幅は、前記紐３が前記孔の内側を無理なく二本通る幅となるようにしてあればよく、前記後ろベルト２２の縦方向の幅よりも小さい幅であることが好ましい。該孔形成布５１の左右の長さは、前記孔５の入り口側から指で孔５の出口側へ前記紐３を送り出すことができるように、例えば、５ｃｍ程度にしておくのが好ましい。
前記孔形成布５１は、前記後ろベルト２２の全体にわたって複数個取り付けられていることが好ましく、記後ろベルト２２の左右両端部にそれぞれ一つずつ左右対称に取り付けられていることが好ましい。
本実施形態では、図４に示すように、前記後ろベルト２２の左右両端部に一つずつと、前記後ろベルト２２の中央部に一つの計三つの前記孔形成布５１を、左右対称になるように前記後ろベルト２２に取り付けている。
前記後ろベルト２２の内側には、該後ろベルト２２を前記環状部材４と体との間に挟みこんで前記後ろベルト２２が垂れ下がらないようにするヘラ６が取り付けられている。
【００２０】
本実施形態に係る袴１００は、さらに袴１００の下に帯を結んでいるように見せる模擬帯部７を備えている。
該模擬帯部７は、例えば、図５に示すように、角帯の結び目の様な膨らみを形成する模擬帯体７１と、該模擬帯体７１を前記後ろ身頃２に取り付ける取付部材７２とを具備するものである。
【００２１】
前記模擬帯体７１は、角帯の結び目の膨らみを模すことができるものであればよく、例えば、適度な大きさに折りたたむなどして形成した布等であっても良いし、帯枕等であってもよい。本実施形態では、適度な大きさの帯枕を模擬帯体７１として使用している。
【００２２】
前記取付部材７２は、前述した模擬帯体７１を前記後ろ身頃２に取り付けることができるものであればよく、本実施形態では、前述した帯枕を収容する収容袋を採用しているが、これに限らず、前記模擬帯体７１を前記後ろ身頃２に張り付ける面ファスナー等であっても良いし、前記模擬帯体７１を前記後ろ身頃２に縫い付ける縫い糸などであっても良い。
【００２３】
次に、本実施形態に係る袴１００の着用方法について図面を用いて説明する。
まず、図２に示すように、前記二本の紐３を前記孔５に通す。具体的には、前記紐３のうち一本を、前記三つの前記孔５全てに通す。次にもう一方の紐３を先程の紐３とは反対側から三つの前記孔５全てに通す。これら二本の紐３を両方前記孔５に通した後には、全ての前記孔５の内部でこれら二本の紐３同士が互いに重なることになる。
次に、前記環状部材４に形成された輪の中に体が入るように袴１００を履き込む。
この時前記環状部材４の輪が体にフィットすることによって前身頃１を体に固定することができるので、前記前身頃１を最終的に着付けたい高さに調節しておく。
【００２４】
前記ヘラ６を前記環状部材４と着用者の体との間に挟んで、前記後ろベルト２２の位置を仮留めしたあと、該後ろベルト２２が着用者の体に密着するように、予め前記孔５に通しておいた前記二本の紐３の端部をそれぞれ引っぱる。
引き締めた前記二本の紐３の両端部を体の前に持ってきて、前記前ベルト４１の上端より少し下の位置で結べば、袴１００の着用が完了する。
【００２５】
このように構成した袴１００によれば、以下のような効果を奏することができる。
前記環状部材４が後ろ身頃２の上部から分離しているので、袴１００を体の適切な位置に簡単に固定しながら、図６に示すように、前記紐３を結ぶ高さや、二本の紐３の重なり具合を自由に調節することができ、袴１００を着用した時の姿を美しく見せることができる。
【００２６】
着用時に前記二本の紐３を前記孔５に通した状態で、袴１００を履き込み、前記二本の紐３を引き締めるだけで袴１００を装着することができるので、紐を何度も結ぶ必要がない。
さらに、履き込むだけで前記前身頃１を体に付ける環状部材４を備えているので、前記二本の紐３を引き締めて前ベルト４１が固定されるまでの間、前身頃１がずれ下がってしまわないように手で押さえる必要がない。
前記孔５に紐３を通してから袴１００を履き込むので、紐３を結ぶまでの間、後ろ身頃２が下に垂れ下がってしまわない。
【００２７】
前記孔５が、前記後ろベルト２２と、前記後ろベルト２２の内側に固定された孔形成布５１との間に形成されるものであるので、前記孔５が外側から見えず、袴１００を着付けたときの姿をより美しく見せることができる。
前記孔形成布５１の左右方向の長さが、５ｃｍ程度にしてあるので、前記紐３が柔らかくコシのない素材のものである場合でも、前記孔５に指等を通して前記紐３を送り出すことができる。
【００２８】
前記帯状体４２が、前記紐３よりも幅が小さいものであり、前記前ベルト４１の前記紐３がついている位置よりも後ろ身頃２側に取り付けられているので、前記紐３を体に巻き回して着用したときに、前記帯状体４２が前記紐３に隠れて外部から見えにくい。
【００２９】
前記ヘラ６を備えているので、前記紐３を引きしめて後ろベルト２２を体に付けるまでの間、後ろ身頃２が垂れ下がらないように仮留めしておくことができる。
【００３０】
本実施形態に係る袴１００は、模擬帯部７をさらに備えているので、袴１００を着用する前に、角帯や袴下帯を結ぶ手間を省きながらも、図６に示すように、袴１００の下に帯を結んでいるかのような膨らみＦを形成することができる。その結果、袴１００を着用した時の姿をより美しく見せることができる。
前記模擬帯部７が、袋状の取付部材７２と、帯枕等の模擬帯体７１を具備するものであるので、帯枕の着脱が簡単である。そのため、例えば、模擬帯体７１による膨らみＦが邪魔になるような場合や、角帯を結んでから袴１００を履きたい場合等には、模擬帯体７１を取り外して着用することもできる。
【００３１】
本発明は前記実施形態に限られたものではない。
例えば、前記実施形態では、袴はスカートのような行灯袴の例を記載したが、これに限られず、馬乗り袴のような形状のものであってもよい。
前記実施形態では、前身頃上部に紐を二本取り付けたものを記載したが、該紐は必ずしも前身頃上部に固定されていなくても良く、前身頃や後ろ身頃とは分離した一本の紐を使用するようにしても良い。
前記紐と前記前ベルトは別々の部材として設けられていなくても良く、前記前身頃の上部に前記紐が取り付けられて、前記紐が前ベルトを兼ねるようにしても良い。
前記環状部材は、前記実施形態では、伸縮性を有さない前ベルトと伸縮可能な帯状体とを備えるものとしたが、これに限られず、全体が伸縮可能な帯状体で形成されても良い。
前記帯状体が複数本に分かれており、これらの端部を面ファスナーやホックなどで連結して、前記環状部材全体として環状になるようにしても良い。
前記ヘラは必須の構成要素ではなく、省略されても良い。
前記孔は、前述したように前記後ろベルトに孔形成布を縫い付けて形成されたものに限らず、前記後ろベルトに直接孔を開けて形成しても良いし、前記後ろベルトにリング部材などを取り付ける等して形成しても良い。
前記孔の個数は、特に制限されず、１つだけでも良いし、２つ、３つ又はそれ以上であっても良い。
【００３２】
その他、本発明の趣旨に反しない限りにおいて、種々の変形や実施形態の組合せを行ってもかまわない。
【符号の説明】
【００３３】
１００・・・袴
１・・・前身頃
２・・・後ろ身頃
２２・・・後ろベルト
３・・・紐
４・・・環状部材
５・・・孔
７・・・模擬帯部
７１・・・模擬帯体
７２・・・取付部材
【図１】
0003223776.tif 000003
【図２】
0003223776.tif 000004
【図３】
0003223776.tif 000005
【図４】
0003223776.tif 000006
【図５】
0003223776.tif 000007
【図６】
0003223776.tif 000008